(57)【要約】【課題】単純なシステムであふれ呼を容易に救済でき無線品質低下を可一膳できる回線設計システム及び方法を提供することである。【解決手段】無線通信システムにおける複数の基地局装置および監視装置に接続された回線設計装置が：  基地局装置に対して、所定時間単位でのトラヒックデータを送信するように指示するトラフィックデータ送信指示手段；  監視装置に対して、基地局装置種別情報を送信するように指示する基地局装置種別情報送信指示手段；  監視装置に対して、基地局装置間のフレーム同期に関する情報を送信するように指示するフレーム同期情報送信指示手段；  監視装置に対して、エントランス回線数情報を送信するように指示するエントランス回線数送信指示手段；  監視装置に対して、基地局装置の設置されている形態に関する情報を送信するように指示する基地局装置形態情報送信指示手段；及び  監視装置に対して、基地局装置の位置情報を送信するように指示する基地局装置位置情報送信指示手段；  から構成される。【選択図】        図４
2004221970.tif 000002
【特許請求の範囲】
【請求項１】
無線通信システムにおける、回線設計装置に接続された基地局装置であって：
前記回線設計装置にデータを送信するデータ送受信手段；
所定の単位時間でのトラヒックデータを計測して記憶するトラフィックデータ計測手段；
該トラフィックデータを送出するトラフィックデータ送出手段；及び
前記トラフィックデータの送信時刻を管理する時間管理手段；
から構成される基地局装置。
【請求項２】
請求項１に記載された基地局装置であって、さらに：
無線品質データを計測して記憶する無線品質データ計測手段；及び
該無線品質データを送出する手段；
から構成されることを特徴とする基地局装置。
【請求項３】
無線通信システムにおける複数の基地局装置および回線設計装置に接続された監視装置であって：
前記回線設計装置に情報を送信するデータ送受信手段；
基地局装置種別の情報を送出する基地局装置種別情報送出手段；
基地局装置間のフレーム同期に関する情報を送出するフレーム同期情報送出手段；
エントランス回線数に関する情報を送出するエントランス回線数送出手段；
基地局装置の設置されている形態に関する情報を送出する基地局装置形態情報送出手段；及び
基地局装置の位置情報を送出する基地局装置形態情報送出手段；
から構成されることを特徴とする監視装置。
【請求項４】
無線通信システムにおける複数の基地局装置および監視装置に接続された回線設計装置であって：
前記基地局装置に対して、所定時間単位でのトラヒックデータを送信するように指示するトラフィックデータ送信指示手段；
前記監視装置に対して、基地局装置種別情報を送信するように指示する基地局装置種別情報送信指示手段；
前記監視装置に対して、基地局装置間のフレーム同期に関する情報を送信するように指示するフレーム同期情報送信指示手段；
前記監視装置に対して、エントランス回線数情報を送信するように指示するエントランス回線数送信指示手段；
前記監視装置に対して、基地局装置の設置されている形態に関する情報を送信するように指示する基地局装置形態情報送信指示手段；及び
前記監視装置に対して、基地局装置の位置情報を送信するように指示する基地局装置位置情報送信指示手段；
から構成される回線設計装置。
【請求項５】
請求項４に記載された回線設計装置であって、さらに：
前記基地局装置に対して、無線品質データを送信するように指示する無線品質データ送信指示手段；
から構成される回線設計装置。
【請求項６】
無線通信システムにおいて互いに接続された複数の基地局装置と、監視装置と、回線設計装置とからなる回線設計システムであって：
前記基地局装置が、
前記回線設計装置にデータを送信するデータ送受信手段；
所定の単位時間でのトラヒックデータを計測して記憶するトラフィックデータ計測手段；
該トラフィックデータを送出するトラフィックデータ送出手段；及び
前記トラフィックデータの送信時刻を管理する時間管理手段；
から構成され、
前記監視装置が、
前記回線設計装置に情報を送信するデータ送受信手段；
基地局装置種別の情報を送出する基地局装置種別情報送出手段；
基地局装置間のフレーム同期に関する情報を送出するフレーム同期情報送出手段；
エントランス回線数に関する情報を送出するエントランス回線数送出手段；
基地局装置の設置されている形態に関する情報を送出する基地局装置形態情報送出手段；及び
基地局装置の位置情報を送出する基地局装置形態情報送出手段；
から構成され、
前記回線設計装置が、
前記基地局装置に対して、所定時間単位でのトラヒックデータを送信するように指示するトラフィックデータ送信指示手段；
前記監視装置に対して、基地局装置種別情報を送信するように指示する基地局装置種別情報送信指示手段；
前記監視装置に対して、基地局装置間のフレーム同期に関する情報を送信するように指示するフレーム同期情報送信指示手段；
前記監視装置に対して、エントランス回線数情報を送信するように指示するエントランス回線数送信指示手段；
前記監視装置に対して、基地局装置の設置されている形態に関する情報を送信するように指示する基地局装置形態情報送信指示手段；及び
前記監視装置に対して、基地局装置の位置情報を送信するように指示する基地局装置位置情報送信指示手段；
から構成されることを特徴とする回線設計システム。
【請求項７】
請求項６に記載された回線設計システムであって：
前記基地局装置がさらに、無線品質データを計測して記憶する無線品質データ計測手段；及び該無線品質データを送出する手段；
から構成され、
前記回線設計装置がさらに、
前記基地局装置に対して、無線品質データを送信するように指示する無線品質データ送信指示手段；
から構成される、ことを特徴とする回線設計システム。
【請求項８】
無線通信システムにおいて互いに接続された基地局装置と回線設計装置とからなる回線設計システムにおいて、前記回線設計装置内で基地局装置仕様を判断する方法であって：
前記基地局装置から第１の所定時間単位でのトラフィックデータを取得する段階；
該トラフィックデータに基づき、呼量が閾値を越えているか否かを判断する段階；
呼量が閾値を越えている場合において、前記基地局装置に対して、前記第１の所定時間単位より短い第２の所定時間単位でのトラフィックデータを送出するよう指示を出す段階；及び
該トラフィックデータに基づき、シミュレーションを実行して最適な基地局装置仕様を判定する段階；
から構成される方法。
【請求項９】
請求項８に記載された方法であって、さらに：
前記基地局装置における無線品質が低下しているか否かを判断する段階；
無線品質が低下している場合において、前記基地局装置に対して、無線品質データを送出するよう指示を出す段階；及び
該無線品質データに基づき、無線品質向上シミュレーションを実行して最適な基地局装置仕様を判定する段階；
から構成される方法。
【発明の詳細な説明】
【０００１】
【発明の属する技術分野】
本発明は、一般に無線通信システムにおいて互いに接続された複数の基地局装置と、監視装置と、回線設計装置とから成る回線設計システムに関し、特に基地局装置からの所定時間単位でのトラフィックデータに基づくシミュレーションによって基地局装置仕様を判断するシステム及び方法に関する。
【０００２】
【従来の技術および解決すべき課題】
移動体通信網などの無線通信システムにおいて多数の移動局を配下に持つ複数の無線基地局では、通話量が多い場所で通話に必要となる資源が不足（以下，あふれ呼という）状態に陥ることがある。あふれ呼状態となった基地局装置において新たに最適な基地局装置への変更を行う場合、従来は、無線回線品質やトラヒックデータ等の各種データから総合的な検討を行っており、膨大なデータ収集とデータ解析能力が求められていた（例えば、非特許文献１参照）。
【０００３】
あふれ呼が発生している基地局装置に対して、最適な基地局装置を回線設計者の判断で行うためには高度な知識が求められ、かつ解析のため各システムで保持している多種多様なデータの収集が必要となり、データの収集と解析に時間がかかるため非効率であり、ミスを起こす危険性も高いなど問題点が多かった。また、無線回線品質低下が見られる基地局装置に対しても、所要の情報やデータ収集し分析する必要して、無線回線品質を改善する必要がある。
【０００４】
そこで、本発明の一目的は上記のような問題点を生じさせない、無線通信システムにおいて互いに接続された複数の基地局装置と、監視装置と、回線設計装置とから成る回線設計システム及び方法を提供することである。
【０００５】
【非特許文献１】
小川圭祐、小林忠男編著「やさしいパーソナルハンディホン」  社団法人電気通信協会  平成７年２月１日、第３５頁
【０００６】
【課題を解決するための手段】
上記の目的を達成するための本発明の一特徴に従った、無線通信システムにおける、回線設計装置に接続された基地局装置は、回線設計装置にデータを送信するデータ送受信手段；  所定の単位時間でのトラヒックデータを計測して記憶するトラフィックデータ計測手段；  該トラフィックデータを送出するトラフィックデータ送出手段；及び  トラフィックデータの送信時刻を管理する時間管理手段；  から構成される。
【０００７】
このような基地局装置はさらに、無線品質データを計測して記憶する無線品質データ計測手段；及び該無線品質データを送出する手段を備えても良い。
【０００８】
本発明の他の特徴に従った、無線通信システムにおける複数の基地局装置および回線設計装置に接続された監視装置は、  回線設計装置に情報を送信するデータ送受信手段；  基地局装置種別の情報を送出する基地局装置種別情報送出手段；  基地局装置間のフレーム同期に関する情報を送出するフレーム同期情報送出手段；  エントランス回線数に関する情報を送出するエントランス回線数送出手段；  基地局装置の設置されている形態に関する情報を送出する基地局装置形態情報送出手段；及び  基地局装置の位置情報を送出する基地局装置形態情報送出手段；  から構成される。
【０００９】
本発明の他の特徴に従った無線通信システムにおける複数の基地局装置および監視装置に接続された回線設計装置は、  基地局装置に対して、所定時間単位でのトラヒックデータを送信するように指示するトラフィックデータ送信指示手段；  監視装置に対して、基地局装置種別情報を送信するように指示する基地局装置種別情報送信指示手段；  監視装置に対して、基地局装置間のフレーム同期に関する情報を送信するように指示するフレーム同期情報送信指示手段；  監視装置に対して、エントランス回線数情報を送信するように指示するエントランス回線数送信指示手段；  監視装置に対して、基地局装置の設置されている形態に関する情報を送信するように指示する基地局装置形態情報送信指示手段；及び  監視装置に対して、基地局装置の位置情報を送信するように指示する基地局装置位置情報送信指示手段；  から構成される。
【００１０】
このような回線設計装置はさらに、  基地局装置に対して、無線品質データを送信するように指示する無線品質データ送信指示手段；を備えても良い。
【００１１】
本発明の他の特徴に従った、無線通信システムにおいて互いに接続された複数の基地局装置と、監視装置と、回線設計装置とからなる回線設計システムは、  基地局装置が、  回線設計装置にデータを送信するデータ送受信手段；  所定の単位時間でのトラヒックデータを計測して記憶するトラフィックデータ計測手段；  該トラフィックデータを送出するトラフィックデータ送出手段；及び  トラフィックデータの送信時刻を管理する時間管理手段；  から構成され、
監視装置が、  回線設計装置に情報を送信するデータ送受信手段；  基地局装置種別の情報を送出する基地局装置種別情報送出手段；  基地局装置間のフレーム同期に関する情報を送出するフレーム同期情報送出手段；  エントランス回線数に関する情報を送出するエントランス回線数送出手段；  基地局装置の設置されている形態に関する情報を送出する基地局装置形態情報送出手段；及び  基地局装置の位置情報を送出する基地局装置形態情報送出手段；  から構成され、
回線設計装置が、  基地局装置に対して、所定時間単位でのトラヒックデータを送信するように指示するトラフィックデータ送信指示手段；  監視装置に対して、基地局装置種別情報を送信するように指示する基地局装置種別情報送信指示手段；  監視装置に対して、基地局装置間のフレーム同期に関する情報を送信するように指示するフレーム同期情報送信指示手段；  監視装置に対して、エントランス回線数情報を送信するように指示するエントランス回線数送信指示手段；
監視装置に対して、基地局装置の設置されている形態に関する情報を送信するように指示する基地局装置形態情報送信指示手段；及び
前記監視装置に対して、基地局装置の位置情報を送信するように指示する基地局装置位置情報送信指示手段；  から構成される。
【００１２】
本発明の他の特徴に従った、無線通信システムにおいて互いに接続された基地局装置と回線設計装置とからなる回線設計システムにおいて、前記回線設計装置内で基地局装置仕様を判断する方法は、  基地局装置から第１の所定時間単位でのトラフィックデータを取得する段階；  該トラフィックデータに基づき、呼量が閾値を越えているか否かを判断する段階；  呼量が閾値を越えている場合において、基地局装置に対して、第１の所定時間単位より短い第２の所定時間単位でのトラフィックデータを送出するよう指示を出す段階；及び  該トラフィックデータに基づき、シミュレーションを実行して最適な基地局装置仕様を判定する段階；  から構成される。
【００１３】
【発明の実施の形態】
以下、図面を参照しながら本発明の実施の形態について詳しく説明する。図１に本発明の一実施形態に従った回線設計システム１０の概要を示す。
【００１４】
移動体通信システムにおける回線設計システム１０は基本的に、移動体通信用の複数の基地局装置３０と、接続装置４０と、パケット網５０と、監視装置２０と、回線設計装置６０とから構成される。図示していないが、各基地局３０の配下には多数の移動局が無線接続されている。
【００１５】
監視装置２０は、例えばＩＳＤＮなどのデジタル公衆パケット網であるパケット網５０を介して、回線交換局などの接続装置４０に接続され、さらに各基地局装置３０に接続されている。監視装置２０は、各基地局装置３０に対して遠隔から監視制御ができるようになっている。
【００１６】
監視装置２０は、各基地局装置３０に関する情報（例えば、種別情報、フレーム同期情報、基地局装置の形態情報、位置情報等）、各基地局３０を収容している接続装置４０の情報、エントランス回線数（パケット網と基地局装置を接続する回線の本数）、収容区域およびその区域における通信トラフィックデータなどの様々な情報を入手することができる。
【００１７】
回線設計装置６０も、パケット網５０及び接続装置４０を経由して、各基地局装置３０に接続されている。回線設計装置６０は、各基地局装置３０に対して遠隔から装置仕様の変更制御ができるようになっている。
【００１８】
図２に本発明の一実施態様に従った監視装置２０の概略図を示す。監視装置２０は、パケット網５０に接続されたデータ送信／受信部２１と、基地局装置種別の情報を送出する基地局装置種別情報送出部２２と、基地局装置間のフレーム同期に関する情報を送出するフレーム同期情報送出部２３と、エントランス回線数を送出するエントランス回線数送出部２４と、基地局装置の設置されている形態に関する情報を送出する基地局装置形態情報送出部２８と、基地局装置の位置情報（緯度、経度情報）を送出する基地局装置位置情報送出部２９とから構成されている。
【００１９】
データ送信／受信部２１は、パケット網５０を介して複数の基地局３０からのデータを受信したり、各基地局３０へデータを送信する。また、所定のデータを回線設計装置６０へと送信できる。
【００２０】
基地局装置種別情報送出部２２は、オペレータによって登録された基地局装置種別の情報を蓄積する機能とＬＡＮを介して接続された回線設計装置の基地局装置種別情報送信指示部の指示によりデータ送出する機能を有する。
【００２１】
フレーム同期情報送出部２３は、オペレータによって登録された該基地局装置のフレーム同期情報を蓄積する機能と、ＬＡＮを介して接続された回線設計装置のフレーム同期情報送信指示部の指示によりデータ送出する機能を有する。
【００２２】
エントランス回線数送出部２４は、オペレータによって登録された該基地局装置のエントランス回線数を蓄積する機能と、ＬＡＮを介して接続された回線設計装置のエントランス回線数送信指示部の指示によりデータ送出する機能を有する。
【００２３】
基地局装置形態情報送出部２８は、オペレータによって登録された該基地局装置の形態情報を蓄積する機能と、ＬＡＮを介して接続された回線設計装置の基地局装置形態情報送信指示部の指示によりデータ送出する機能を有する。
【００２４】
基地局装置位置情報送出部２９は、オペレータによって登録された該基地局装置の位置情報を蓄積する機能と、ＬＡＮを介して接続された回線設計装置の基地局装置位置情報送信指示部の指示によりデータ送出する機能を有する。
【００２５】
図３に本発明の一実施態様に従った基地局又は基地局装置３０の概略図を示す。基地局装置３０は、パケット網５０に接続されたデータ送信／受信部３１と、無線品質データを計測して送出する無線品質データ計測部３５と、自局におけるトラフィックデータを計測し記憶するトラフィックデータ計測部３６と、トラフィックデータを所定の単位（例えば１日単位、１時間単位など）で管理し、指示された単位・頻度でトラフィックデータを送出するトラフィックデータ送出部３７と、時刻を管理する時間管理部３８とから構成されている。
【００２６】
データ送信／受信部３１は、監視装置２０や回線設計装置６０の要求に応じて、パケット網５０を介して監視装置２０や回線設計装置６０へと各種データを送信する。
【００２７】
無線品質データ計測部３５は、基地局装置において定常的に無線品質データを計測し蓄積する機能と、パケット網を介して蓄積された回線設計装置の無線品質データ送信指示部の指示によりデータ送出する機能を有する。
【００２８】
トラフィックデータ計測部３６は、基地局装置において定常的に所定の単位時間でトラフィックデータを計測し蓄積する機能を有する。
【００２９】
トラフィックデータ送出部３７は、パケット網を介して接続された回線設計装置のトラフィックデータ送信指示部の指示により所定の単位時間のトラフィックデータが蓄積されているトラフィックデータ計測部から抽出しデータ送出する機能を有する。
【００３０】
時間管理部３８は、時刻を管理し、かつ回線設計装置６０から指示された送出のための時刻を記憶する。例えば、毎日定時にトラフィックデータを送信するとか、１時間毎にトラフィックデータを送信するなどの制御をトラフィックデータ送出部３７に対して行う。
【００３１】
図４に本発明の一実施態様に従った回線設計装置６０の概略図を示す。回線設計装置６０は、パケット網５０に接続されたデータ送信／受信部６１と、基地局装置３０に対して１日単位又は１時間単位でのトラフィックデータを定時に送信するように指示するトラフィックデータ送信指示部６７と、基地局装置３０に対して無線品質データを送信するように指示する無線品質データ送信指示部６５と、監視装置２０に対して基地局装置種別情報を送信するように指示する基地局装置種別情報送信指示部６２と、基地局装置３０に対して基地局装置間のフレーム同期に関する情報を送信するように指示するフレーム同期情報送信指示部６３と、基地局装置３０に対してエントランス回線数情報を送信するように指示するエントランス回線数送信指示部６４と、基地局装置３０に対して基地局装置の設置されている形態に関する情報を送信するように指示する基地局装置形態情報送信指示部６８と、基地局装置３０に対して基地局装置の位置（緯度、経度情報）情報を送信するように指示する基地局装置位置情報送信指示部６９と、最適な基地局仕様を求めるための各種シミュレーションを実行するシミュレーション部６６とから構成されている。
【００３２】
データ送信／受信部３１は、監視装置２０や各基地局３０からのデータを受信したり、所定の指示を送信したりする。
【００３３】
無線品質データ送信指示部６５は、トラフィックデータから無線品質が低下している基地局装置を抽出し、当該基地局装置の無線品質データ計測部に対して無線品質データの送信を指示する機能を有する。
【００３４】
基地局装置種別情報送信指示部６２は、シミュレーションを行う場合に必要となる既設設備データの基地局装置種別情報を監視装置の基地局装置種別情報送出部に対しデータ送信を指示する機能を有する。
【００３５】
フレーム同期情報送信指示部６３は、シミュレーションを行う場合に必要となる同期情報を監視装置のフレーム同期情報送出部に対しデータ送信を指示する機能を有する。
【００３６】
エントランス回線数送信指示部６４は、シミュレーションを行う場合に必要となるエントランス回線数を監視装置のエントランス回線数送出部に対しデータ送信を指示する機能を有する。
【００３７】
基地局装置形態情報送信指示部６８は、シミュレーションを行う場合に必要となる基地局装置形態情報を監視装置の基地局装置形態情報送出部に対しデータ送信を指示する機能を有する。
【００３８】
基地局装置位置情報送信指示部６９は、シミュレーションを行う場合に必要となる基地局装置位置情報を監視装置の基地局装置位置情報送出部に対しデータ送信を指示する機能を有する。
【００３９】
シミュレーション部６６は、ＬＡＮを介して接続された監視装置やパケット網を介して接続された各基地局に対してシミュレーションに必要となるデータを回線設計装置の各指示部に対してデータ取得指示機能を有し、取得したデータを用いてシミュレーションを実施し結果を出力あるいは表示する機能を有する。
【００４０】
以下に回線設計装置６０の動作について説明する。
【００４１】
回線設計装置６０は、１日単位でのトラフィックデータを基地局装置３０から取得している。回線設計装置６０が、一定期間取得したトラフィックデータに基づいて、通話料が多いため通話に要する資源不足となっている（あふれ呼が発生している）と思われる基地局装置を検出する。検出した基地局装置に対して、最適な基地局仕様が何であるかの判断材料となるデータ（例えば、１時間単位でのトラフィックデータ）の送出指示を自動的に行う。
【００４２】
シミュレーション部６６において、１時間単位でのトラフィックデータを分析して、１日のうち最もあふれ呼状態となる時間帯でのトラフィックデータから不足呼数を計算し、エントランス回線数と基地局装置種別を組み合せてシミュレーションを実行し最適な基地局装置仕様を判定する。判定に必要となる基地局装置情報、エントランス回線数情報、基地局装置の設置情報及び位置情報等を監視装置２０から取得する。
【００４３】
回線設計装置６０はまた、無線品質が低下し問題となっている基地局装置に対して無線品質データの送出指示を自動的に行い周辺の電波状況をデータとして取得する。取得したデータから最適な基地局装置仕様を判定する。無線品質が悪くなる原因として、制御用キャリアおよび通話用キャリアの電波干渉などがある。
【００４４】
制御用キャリアの電波干渉の場合には、自律分散制御方式によるスロット利用効率の低下が考えられ、フレーム同期方式採用により改善可能である。
【００４５】
送信出力２０ｍＷを超える高出力基地局装置の設置比率の高い場所などでは、通話用キャリアの電波干渉が発生する場合がある。この場合には、送信出力２０ｍＷ以下の基地局装置に仕様変更することにより、異なる通話用キャリアが使用可能となり、電波干渉の改善を図ることができる。
【００４６】
基地局装置の仕様変更シミュレーション結果によっては、送信出力が既設基地局装置より低くなる場合もある。このような場合、当該基地局装置の電波の届く範囲が狭くなり呼量も減少する。あふれ呼シミュレーションでは呼量減少も考慮し、送信出力低下により小さくなるエリア面積分に基づき呼量の減少分を算出しシミュレーションする。さらに、送信出力が既設基地局装置より低くなるシミュレーション結果において電波不感地が発生する可能性がある。回線設計装置６０では、基地局装置の位置情報、送信出力、設置形態等から地図上に通話可能範囲を表示することにより、エリアが小さくなった場合に不感地が発生しているか否かを操作者が視覚的に判断できるようにしても良い。
【００４７】
次に図５に示す表を参照しながら、シミュレーション結果について説明する。
【００４８】
既設設備である基地局装置Ｚは、送信出力１００ｍＷで移動局と非同期通信を行っている。エントランス回線数は１であり、音声および６４Ｋデータ通信が各１通話づつ行われており、無線品質低下およびあふれ呼状態であると仮定する。
【００４９】
無線品質データを解析し、制御用キャリアで電波干渉が発生していたと仮定する。この場合、フレーム同期方式の送信出力５００ｍＷの基地局装置ｂ、エントランス回線２以上の仕様を採用することにより、無線品質低下の解消およびあふれ呼を救済を達成できることになる。
【００５０】
一方、通話用キャリアで電波干渉が発生していたと仮定すると、送信出力が５００ｍＷから２０ｍＷに変更になるような基地局装置ｄ、エントランス回線２本以上の仕様を採用することにより、無線品質低下の解消およびあふれ呼の救済を達成できる。この場合において、送信出力低下による電波不感地が発生する可能性があるため、当該基地局装置のエリア図により不感地が発生しないことを確認する必要がある。
【００５１】
基地局装置の機種変更又は仕様変更としては、同じ基地局装置を使用しその仕様を一部又は全部変更する場合や、異なる仕様の基地局装置に交換する場合など、様々な変更態様が本発明の範囲に含まれる。
【００５２】
次に図６に示す回線設計装置内処理のフローチャート例を参照しながら、基地局装置仕様変更処理について説明する。
【００５３】
回線設計装置６０が、処理開始（７１）後に、基地局装置３０から１日単位でのトラフィックデータを取得する（７２）。そのデータに基づき、呼量が閾値を越えているか否かを判断し（７３）、呼量が閾値以上でなく問題が無い場合には、無線品質低下の判断に進む（７４）。無線品質の低下もなく、問題が無い場合には、基地局装置に変更を指示することなく処理を終了する（７５）。
【００５４】
一方、無線品質の低下があると判断された場合には、当該基地局装置に対して、無線品質データを送出するよう指示を出す（７６）。無線品質データに基づき、無線品質向上シミュレーションを実行して最適な基地局装置仕様を判定する（７７）。当該基地局装置に対して基地局装置機種変更あるいは仕様変更を指示する（７８）。
【００５５】
判断７３において、呼量が閾値以上であると判断された場合には、無線品質低下の判断（７９）に進む。無線品質は低下していないと判断された場合には、当該基地局装置に対して、時間単位トラフィックデータを送出するよう指示を出す（８０）。時間単位トラフィックデータデータに基づき、あふれ呼シミュレーションを実行して最適な基地局装置仕様を判定する（８１）。当該基地局装置に対して基地局装置機種変更あるいは仕様変更を指示する（７８）。
【００５６】
判断７９において、無線品質も低下していると断された場合には、当該基地局装置に対して、無線品質データを送出するよう指示を出す（８２）。無線品質データに基づき、無線品質向上シミュレーションを実行して最適な基地局装置仕様を判定する（８３）。さらに、当該基地局装置に対して、時間単位トラフィックデータを送出するよう指示を出す（８４）。時間単位トラフィックデータに基づき、あふれ呼シミュレーションを実行して最適な基地局装置仕様を判定する（８５）。当該基地局装置に対して基地局装置機種変更あるいは仕様変更を指示する（７８）。
【００５７】
【効果】
本発明の実施形態によれば、単純なシステムを用い複雑な回線分析やデータ解析をすることなく、あふれ呼を容易に救済でき、かつ無線品質低下を改善できるという効果がある。また、回線設計者のサポートツールとして最適な基地局装置への機種変更判断が可能となる。
【図面の簡単な説明】
【図１】本発明の一実施形態に従った回線設計システムの概要図である。
【図２】本発明の一実施態様に従った監視装置の概略図である。
【図３】本発明の一実施態様に従った基地局又は基地局装置の概略図である。
【図４】本発明の一実施態様に従った回線設計装置６０の概略図である。
【図５】本発明の一実施態様に従った、シミュレーション結果を示す表である。
【図６】本発明の一実施形態に従った、回線設計装置内処理手順を示すフローチャートである。
【符号の説明】
１０    回線設計システム
２０    監視装置
３０    基地局装置
４０    接続装置
５０    パケット網
６０    回線設計装置
２１    データ送信／受信部
２２    基地局装置種別情報送出部
２３    フレーム同期情報送出部
２４    エントランス回線数送出部
２８    基地局装置形態情報送出部
２９    基地局装置位置情報送出部
３１    データ送信／受信部３１
３５    無線品質データ計測部
３６    トラフィックデータ計測部
３７    トラフィックデータ送出部
３８    時間管理部
６１    データ送信／受信部
６７    トラフィックデータ送信指示部
６５    無線品質データ送信指示部
６２    基地局装置種別情報送信指示部
６３    フレーム同期情報送信指示部
６４    エントランス回線数送信指示部
６８    基地局装置形態情報送信指示部
６９    基地局装置位置情報送信指示部
６６    シミュレーション部
【図１】
2004221970.tif 000003
【図２】
2004221970.tif 000004
【図３】
2004221970.tif 000005
【図４】
2004221970.tif 000006
【図５】
2004221970.tif 000007
【図６】
2004221970.tif 000008